(57)【要約】【課題】農業用ハウス用の換気窓として、動力を用いなくても簡単に開閉可能で、軽量でしかも農業用ハウスの任意の箇所に簡単に取り付け出来るようにし、また破損しにくいようにする。【解決手段】被覆フィルム２の所定箇所に穴ｈを形成し、この穴ｈ周縁に取付可能な基体４を設けるとともに、この基体４の開口部ｔを開閉自在な蓋体５を設ける。基体４として、穴ｈの周縁より一回り小さい発泡樹脂製の芯材７の周囲を樹脂フィルム８で包み込むことによって構成する。また蓋体５として、基体４の芯材７より一回り大きめの相似型サイズの発泡樹脂製の芯材１０の周囲を樹脂フィルム１１で包み込むことによって構成し、上面を樹脂フィルム１１で覆う。【選択図】      図３
2004357556.tif 000002
【特許請求の範囲】
【請求項１】
フィルムで被覆された農業用ハウスの被覆フィルムに取り付け可能で、少なくとも開口部を有する基体と、この基体の開口部を覆う蓋体からなるハウス用換気窓であって、前記基体は、開口部周囲を形成する厚み３０〜１５０ｍｍの発泡樹脂製芯材と、芯材の周囲全体を被覆する合成樹脂製フィルムから構成され、芯材の外周底部には、二枚のフィルムからなる接続部が設けられて農業用ハウスの被覆フィルムに取り付け可能にされるとともに、前記蓋体は、前記基体の芯材の外側部に嵌合可能な発泡樹脂製芯材と、この芯材の周囲を被覆する合成樹脂製フィルムから構成され、芯材の上面部は上面部材で閉塞され、芯材の外周底部には、基体と接続するための接続片が任意の箇所に設けられることを特徴とするハウス用換気窓。
【請求項２】
前記蓋体の上面部材は、透明または半透明のフィルムまたは板状体から構成され、この上面部材の内面側の任意の位置に窓開閉用の治具取付部が設けられていることを特徴とする請求項１に記載のハウス用換気窓。
【請求項３】
前記ハウス用換気窓を閉めた状態において、少なくとも基体と蓋体が接する部分の被覆フィルムの表面が梨地加工されたものであることを特徴とする請求項１又は請求項２に記載のハウス用換気窓。
【発明の詳細な説明】
【０００１】
【発明の属する技術分野】
本発明は、農業用のビニールハウスの室内を換気するために取り付けられるハウス用換気窓に関する。
【０００２】
【従来の技術】
従来、農業用の温室ハウス等の内部を換気する装置として、動力源によって回転操作するロータリーバルブを使用して温度管理と室内換気を行うようにした技術（例えば、特許文献１参照。）や、塩ビ製の浮き輪を二段重ねた構造のダクトの上部に蓋を取り付け、これをハウスに取り付けてダクトに連通する穴を形成した後、ダクト内に空気を注入して膨らませ、換気窓とするような技術（例えば、特許文献２参照。）等が知られている。
【０００３】
【特許文献１】
特開昭４９−５７３０号公報
【特許文献２】
特開２０００−２３５７５号公報
【０００４】
【発明が解決しようとする課題】
ところが、前者のように換気窓の開閉に動力を用いるような技術は、装置が大掛かりになるとともに、設備コストもかかるようになり、後者のような空気注入式の場合は、フィルムの一部に穴が明いたりすると空気が漏れて使い物にならず、耐久性に劣るという問題がある。
【０００５】
そこで本発明は、動力を用いなくても簡単に開閉可能なもので、しかも軽量で、且つ農業用ハウスの任意の箇所に容易に取り付け出来るとともに破損しにくい換気窓を提供することを目的とする。
【０００６】
【課題を解決するための手段】
上記目的を達成するため本発明は、フィルムで被覆された農業用ハウスの被覆フィルムに取り付け可能で、少なくとも開口部を有する基体と、この基体の開口部を覆う蓋体からなるハウス用換気窓において、前記基体を、開口部周囲を形成する厚み３０〜１５０ｍｍの発泡樹脂製芯材と、芯材の周囲全体を被覆する合成樹脂製フィルムから構成し、芯材の外周底部には、二枚のフィルムからなる接続部を設けて農業用ハウスの被覆フィルムに取り付け可能にするとともに、前記蓋体を、前記基体の芯材の外側部に嵌合可能な発泡樹脂製芯材と、この芯材の周囲を被覆する合成樹脂製フィルムから構成し、芯材の上面部を上面部材で閉塞し、芯材の外周底部には、基体と接続するための接続片を任意の箇所に設けるようにした。
【０００７】
そして、農業用ハウスの被覆フィルムの任意の箇所に穴を開けて、この穴周縁の被覆フィルムに基体の接続部を取り付けるとともに、蓋体の接続片を基体に接続して基体の開口部を覆うようにすれば、簡単にハウス用換気窓を設けることができる。この際、基体、蓋体とも発泡樹脂製の芯材によって剛性が確保される同時に軽量化が図られ、また、蓋体の芯材を基体の芯材の外側に嵌合させるようにして蓋をすることで、例えばハウスの天井等に適用する場合でも、開口部から雨水が入り込むような不具合を抑制出来る。また、強風等が吹いた場合でも、蓋体を外れにくくすることができる。
尚、換気窓の位置は任意であり、ハウスの天井部分でも良く、側面部分でも良く、その他の部分でも良い。
また、窓の形状等も任意であり、丸型でも、四角型でも、その他の形状でも良い。
【０００８】
ここで、発泡樹脂製の芯材の材質は、窓枠としての強度を有し、軽量であるものであればよく、例えば発泡ポリスチレンや、発泡ポリプロピレンや、発泡ポリエチレン等が適用可能である。また、芯材の成形方法は任意であり、型成形でも押出し成形でもその他の成形でも良い。また、芯材の形状としては、円形、矩形等窓として使用可能なものであればよい。断面形状も円形、角形等であればよく、厚みとしては窓を閉めた場合、風等で開かないような厚みであればよく、このため３０〜１５０ｍｍ程度が好ましい。
更に、芯材を包み込む樹脂フィルムの材質としては、塩化ビニル系や、オレフィン系が好適であり、厚みは０．２〜０．８ｍｍ程度が好ましく、また、農作物に日影等の悪影響を与えないため透明または半透明素材が好ましい。
【０００９】
また本発明では、蓋体の上面部材を、透明または半透明のフィルムまたは板状体から構成し、この上面部材の内面側の任意の位置に窓開閉用の治具取付部を設けるようにした。
そして、この窓開閉用の治具取付部に窓を開閉するための操作杆や、ワイヤや、ひもや、バネ等を接続して遠隔から操作できるようにすれば手が届かない箇所でも開閉できて便利である。
【００１０】
また本発明では、ハウス用換気窓を閉めた状態において、少なくとも基体と蓋体が接する部分の被覆フィルムの表面が梨地加工されたものとした。
ここで、蓋体を閉じて基体の開口部を閉鎖したとき、基体の樹脂フィルムと蓋体の樹脂フィルム同士が接触し合う箇所では、次に蓋体を開けようとしてもフィルム同士がくっついて開けにくくなる。
そこで、接触するフィルム表面に梨地を形成することにより、両者がくっつきにくくなるようにし、蓋体の開閉がスムーズに行われるようにする。
【００１１】
【発明の実施の形態】
本発明の実施の形態について添付した図面に基づき説明する。
ここで図１は本発明に係る換気窓を採用した農業用ハウスの説明図、図２は換気窓の拡大断面図、図３は同斜視図、図４は基体の説明図、図５は蓋体の説明図、図６は、基体や蓋体の成形方法の説明図、図７は基体と蓋体のフィルム接触部分表面に梨地を形成した構成例の説明図である。
【００１２】
本発明に係るハウス用換気窓は、動力を用いなくても開閉できるような簡単な構造であり、軽量でしかもハウスの任意の箇所に手軽に取り付け出来るようにされ、しかも破損しにくいようにされている。
【００１３】
すなわち、図１、図２に示すように、農業用ハウス１の被覆フィルム２には、ハウス内の空気を換気するための換気窓３が設けられており、この換気窓３は手動で開け閉めできるようにされるとともに、被覆フィルム２の任意の位置に簡単に取り付けできるようにされている。
【００１４】
そして、この換気窓３は、被覆フィルム２に形成される穴ｈに取り付けられ且つ中央部が開口部ｔとされる基体４と、この基体４の開口部ｔを開閉自在な蓋体５を備えており、蓋体５には、手動で開閉操作するための操作部材６（図１）が取り付けられている。
【００１５】
前記基体４は、図４にも示すように、被覆フィルム２の穴ｈの内径より一回り小さめの径で環状に成形される断面円形で中実状の発泡樹脂製芯材７と、この芯材７の周囲全体を包み込むと同時に、芯材７の外側に向けて張り出す透明樹脂フィルム８を備えており、芯材７の内側は、前述のように開口部ｔとされている。そして、発泡樹脂製芯材７は、厚みが３０〜１５０ｍｍ程度になるようにされ、また、樹脂フィルム８のうち、芯材７より外側に張り出す部分は二枚のフィルム８ａ、８ｂとされている。そして、この二枚のフィルム８ａ、８ｂ部分によって、被覆フィルム２の穴ｈ周縁を挟み込んで接着等で固定できるようにされている。
【００１６】
前記蓋体５は、図５にも示すように、芯材７の径より一回り大きめの径で相似形に形成される断面円形で中実状の発泡樹脂製芯材１０と、この芯材１０を包み込むと同時に、芯材１０より内側領域の上面部分を覆い込む透明樹脂フィルム１１を備えており、この樹脂フィルム１１には、芯材１０の外周底部から外側に向けて局所的に張り出す接続片１１ｋが設けられており、この接続片１１ｋは、前記基体４の樹脂フィルム８ａ表面、または被覆フィルム２の表面に貼着可能にされている。
また、芯材１０の厚みは、基体４の芯材７の厚みと同様、３０〜１５０ｍｍ程度になるようにされている。
【００１７】
ここで、それぞれの芯材７、１０としては、例えば発泡ポリスチレンや、発泡ポリエチレンや、発泡ポリプロピレン等の素材を使用することが出来、環状（本実施例では円形）に成形する方法としては、型成形で成形してもよく、押出し成形で成形した棒を曲げて端部を接着して成形しても良く、その他の方法で成形しても良い。勿論、芯材７、１０の環状形状は円形でも、矩形状でも、その他の形状でも良く、また、芯材７、１０の断面形状も、丸形以外に、四角形、三角形等任意である。
【００１８】
また、それぞれの樹脂フィルム８、１１としては、塩ビ系フィルムやオレフィン系フィルム等を使用することが出来、厚みは０．２〜０．８ｍｍ程度が好ましい。
そして、これら樹脂フィルム８、１１で芯材７、１０を包み込む方法の一例としては、例えば図６（ａ）に示すように、複数枚のフィルムｆを貼り合わせて芯材Ｓを包み込むようにしても良く、図６（ｂ）に示すように、真空成形したフィルムｆを含んで芯材Ｓを包み込むようにしても良い。そして、基体４の場合は、芯材Ｓをフィルムｆで包み込んだ後、芯材Ｓより内側部分のフィルムｆを切除する。
尚、蓋体５の芯材１０の内側領域の上面を覆う上面部材は、透明な樹脂フィルム１１に限られるものではなく、透明または半透明樹脂板等の板状体であっても良い。
【００１９】
前記操作部材６は、例えば蓋体５の樹脂フィルム１１内面側の治具取付部に取り付けられる連結具１２に接続され、例えば針金、ワイヤ、ひも、バネ等から構成されて遠隔操作できるようにされている。そして、この操作部材６を操作することにより、蓋体５を開放側に揺動させたり、閉鎖側に揺動させたりできるようにしている。
【００２０】
以上のような換気窓３を農業用ハウス１に取り付ける方法について説明する。換気窓３を取り付けようとする箇所の被覆フィルム２にカッター等で穴ｈを形成する。この際、穴ｈの大きさは、基体４の芯材７よりやや小さめの相似形サイズとする。
【００２１】
穴ｈが形成されると、この穴ｈに基体４を取り付ける。すなわち、基体４の芯材７より外側部分の樹脂フィルム８の二枚のフィルム８ａ、８ｂで被覆フィルム２の穴ｈ周縁フィルムを挟み込み、接着等によって固定する。
すると、芯材７によって穴ｈ周辺の強度が増すとともに、開口部ｔが窓となる。
【００２２】
次いで、基体４の上に蓋体５を被せるように位置決めして、接続片１１ｋを基体４のフィルム８ａ表面、または被覆フィルム２の表面に接着等で固定する。そして、接続片１１ｋを中心にして、蓋体５の反対側を上方に揺動させると、図３に示すように、開口部ｔが開放され、下方に揺動させると、蓋体５の芯材１０が基体４の芯材７周囲を囲い込むような状態で開口部ｔが閉鎖されるようにする。そして、必要に応じて蓋体５の樹脂フィルム１１の内面側の連結具１２に操作部材６を取り付ければ、換気窓３の作製が完了する。
【００２３】
そしてこのような換気窓３は、基体４や蓋体５の芯材７、１０によって強度が確保されて、繰り返して開閉操作しても破損しにくく、また、軽量で簡素な構成であって、取り付けも容易である。しかも、蓋体５を閉鎖したとき、基体４の芯材７の周囲を囲い込むような形態になるため、雨水等が浸入するおそれがなく、強風が吹いても蓋体５が外れにくい。
【００２４】
ところで、以上のような換気窓３では、蓋体５を閉めた際、基体４の樹脂フィルム８と蓋体５の樹脂フィルム１１の接触し合う箇所ではフィルム同士がくっついて、蓋体５を開ける際に無理な力が加わることがある。このため、図７は、このような不具合を防止するようにした別構成例であり、両者のフィルム８、１１同士の接触する可能性がある表面に梨地ｎを形成するようにしている。
【００２５】
そしてこのようなフィルム８、１１表面の梨地ｎ同士を接触させた場合、フィルム同士がくっつくような事態が抑制されるため、蓋体５を開くときにもスムーズに開閉できるとともに、無理な力が加わるような不具合はない。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、換気窓３の形状等は任意であり、農業用ハウス１への取り付け位置も天井部分に限られるものではない。更に、蓋体５を開閉するための操作部材６の構造や連結具１２の数、位置等は例示である。
【００２７】
【発明の効果】
以上のように本発明は、農業用ハウスの被覆フィルムに取り付け可能で、少なくとも開口部を有する基体と、基体の開口部を覆う蓋体からハウス用換気窓を構成するようにし、基体として、所定厚みの発泡樹脂製芯材の周囲を合成樹脂フィルムで被覆するとともに、芯材の外周底部に、二枚のフィルムからなる接続部を設け、また蓋体として、基体の芯材の外側部に嵌合可能な発泡樹脂製芯材の周囲を合成樹脂製フィルムで被覆し、芯材の上面部を上面部材で閉塞するようにしたため、農業用ハウスの被覆フィルムの任意の箇所に簡単にハウス用換気窓を設けることができる。
この際、基体、蓋体とも発泡樹脂製の芯材によって剛性が確保される同時に軽量化が図られ、また、蓋体の芯材を基体の芯材の外側に嵌合させるようにしているため、開口部から雨水が入り込むような不具合を抑制出来る。また、強風等が吹いた場合でも、蓋体を外れにくくすることができる。
また、蓋体の上面部材を、透明または半透明のフィルムまたは板状体から構成し、この上面部材の内面側の任意の位置に窓開閉用の治具取付部を設けるようにすれば、手の届かない箇所からでも遠隔操作して窓を開閉することが出来る。
また、ハウス用換気窓を閉めた状態において、基体と蓋体が接する部分の被覆フィルムの表面を梨地加工すれば、フィルム同士がくっつき合って剥がれ難くなるような不具合を抑制することができ、開閉をスムーズに行うことが出来る。
【図面の簡単な説明】
【図１】本発明に係る換気窓を採用した農業用ハウスの説明図
【図２】換気窓の拡大断面図
【図３】同斜視図
【図４】基体の説明図で、（ａ）は平面図、（ｂ）は断面図
【図５】蓋体の説明図で、（ａ）は平面図、（ｂ）は断面図
【図６】基体や蓋体の成形方法の説明図
【図７】基体と蓋体のフィルム接触部分表面に梨地を形成した構成例の説明図
【符号の説明】
１…農業用ハウス、２…被覆フィルム、３…換気窓、４…基体、５…蓋体、７…芯材、８…樹脂フィルム、１０…芯材、１１…樹脂フィルム、１１ｋ…接続片、ｈ…穴、ｔ…開口部、ｎ…梨地。
【図１】
2004357556.tif 000003
【図２】
2004357556.tif 000004
【図３】
2004357556.tif 000005
【図４】
2004357556.tif 000006
【図５】
2004357556.tif 000007
【図６】
2004357556.tif 000008
【図７】
2004357556.tif 000009